(57)【要約】【課題】              被装着体を交換するだけで新しい様々な情報ないしデータを取得することができる携帯通信端末、本体及び被装着体を提供すること。【解決手段】          本体２０に着脱可能に装着される被装着体１０を有する携帯通信端末１であって、被装着体１０は、磁性部材１１と、所定の情報ないしデータを保持する非接触ＩＣ１２と、を備え、本体２０は、磁性部材１１を検知することが可能な１又は２個以上の磁気検知部２８と、非接触ＩＣ１２に保持されている情報ないしデータを読み取る読取部２６と、を備えることを特徴とする。【選択図】            図１
2006165936.tif 000002
【特許請求の範囲】
【請求項１】
本体に着脱可能に装着される被装着体を有する携帯通信端末であって、
前記被装着体は、１又は２個以上の磁性部材と、所定の情報ないしデータを保持する非接触ＩＣと、を備え、
前記本体は、前記磁性部材を検知することが可能な１又は２個以上の磁気検知部と、前記非接触ＩＣに保持されている情報ないしデータを読み取る読取部と、を備えることを特徴とする携帯通信端末。
【請求項２】
本体に着脱可能に装着される被装着体を有する携帯通信端末であって、
前記被装着体は、
１又は２個以上の磁性部材と、
前記被装着体を識別するための被装着体識別情報を保持するとともに、暗号化された１又は複数のコンテンツデータを保持し、かつ、前記コンテンツデータを復号化するための鍵情報を管理する鍵情報管理サーバにアクセスするためのアクセス情報を保持する非接触ＩＣと、
を備え、
前記本体は、
前記磁性部材を検知することが可能な１又は２個以上の磁気検知部と、
前記非接触ＩＣに保持されている情報ないしデータを読み取る読取部と、
前記読取部にて読み取られた前記アクセス情報に基づいて前記鍵情報管理サーバにアクセスするとともに、前記読取部にて読み取られた前記被装着体識別情報を前記鍵情報管理サーバに送信し、かつ、前記鍵情報管理サーバから前記被装着体識別情報に対応する前記鍵情報を取得する鍵情報取得処理部と、
前記鍵情報取得部で取得された前記鍵情報に基づいて前記読取部で読み取られたコンテンツデータを復号化する復号化処理部と、
を備えることを特徴とする携帯通信端末。
【請求項３】
前記本体の前記鍵情報取得処理部は、前記被装着体識別情報を送信する際に、前記携帯通信端末を識別するための端末識別情報も送信し、
前記鍵情報管理サーバは、
被装着体識別情報ごとに少なくとも鍵情報及び端末識別情報をリンクさせた被装着体管理テーブルを記憶する記憶部と、
前記本体から送信された前記被装着体識別情報に対応する前記被装着体管理テーブル中に前記本体から送信された前記端末識別情報を初めて登録した場合に、対応する鍵情報を前記携帯通信端末に配信する鍵情報配信処理部と、
を備えることを特徴とする請求項２記載の携帯通信端末。
【請求項４】
前記鍵情報管理サーバの前記鍵情報配信処理部は、前記本体から送信された前記端末識別情報と、前記本体から送信された前記被装着体識別情報に対応する前記被装着体管理テーブル中に既に記憶されている端末識別情報と、が一致する場合にも、対応する鍵情報を前記携帯通信端末に配信することを特徴とする請求項３記載の携帯通信端末。
【請求項５】
前記鍵情報管理サーバは、前記本体から送信された前記端末識別情報と、前記本体から送信された前記被装着体識別情報に対応する前記被装着体管理テーブル中に既に登録されている端末識別情報と、が一致しないときに鍵情報の送信を拒否する拒否情報を送信する拒否情報送信処理部を備えることを特徴とする請求項３又は４記載の携帯通信端末。
【請求項６】
１又は２個以上の磁性部材と、所定の情報ないしデータを保持する非接触ＩＣと、を備えた被装着体と着脱可能な筐体と、
前記磁性部材を検知することが可能な１又は２個以上の磁気検知部と、
前記非接触ＩＣに保持されている情報ないしデータを読み取る読取部と、
を備えることを特徴とする携帯通信端末の本体。
【請求項７】
１又は２個以上の磁気検知部と、情報ないしデータを読み取る読取部と、を備える携帯通信端末の本体と着脱可能な被装着体であって、
前記磁気検知部によって検知される１又は２個以上の磁性部材と、
所定の情報ないしデータを保持するとともに、保持された前記情報ないしデータが前記読取部によって読み取られる非接触ＩＣと、
を備えることを特徴とする被装着体。
【発明の詳細な説明】
【技術分野】
【０００１】
本発明は、本体に着脱可能な被装着体を有する携帯通信端末、本体及び被装着体に関し、特に、被装着体を交換するだけで新しい様々なコンテンツデータを取得することができる携帯通信端末、本体及び被装着体に関する。
【背景技術】
【０００２】
従来、携帯電話機などの携帯通信端末において、液晶表示部の背面（外側）にあたる部分に装飾目的の交換可能なパネルを装着できる機種がある。このようなパネルはオプションとしてメーカ側で多種多様なものが用意されている。
【０００３】
また、テンキー等の操作部を保護する保護カバーを備えた携帯電話機において、携帯電話機本体が有していない機能を実現する電卓、時計などの機能モジュールを保護カバーに装着させることにより、携帯電話機の機能を拡張する技術が開示されている（特許文献１参照）。
【０００４】
さらに、煩雑なメニューやボタン操作を必要とすることなく、本体に備えられた所望の機能を比較的簡単に選択設定することができることを目的とし、動作モード等の機能識別情報を保持するパネルを交換することで、外観側から即座に機能識別情報を認識することができる携帯端末装置およびパネルを提供する技術が開示されている（特許文献２参照）。
【０００５】
【特許文献１】特開平４−１１７８４８号公報
【特許文献２】特開２００４−２２１８６０号公報
【特許文献３】国際公開番号第ＷＯ２００１／０３３５４６号パンフレット
【特許文献４】特開２００３−９９４０３号公報
【発明の開示】
【発明が解決しようとする課題】
【０００６】
しかしながら、これらの技術は、携帯電話機の外装を装飾したり、キーパッド部を保護したり、パネルにキーを設け特定機能の操作を可能にしたり、パネルに応じて特定機能の設定を行わせるにすぎない。また、特許文献２で示す携帯電話機では、パネルの種別を識別し、そのパネルの種類と任意の機能を組み合わせ、装着したパネルに合った設定をさせるにすぎない。
【０００７】
本発明の課題は、被装着体を交換するだけで新しい様々な情報ないしデータを取得することができる携帯通信端末、本体及び被装着体を提供することである。
【課題を解決するための手段】
【０００８】
本発明の第１の視点においては、本体に着脱可能に装着される被装着体を有する携帯通信端末であって、前記被装着体は、１又は２個以上の磁性部材と、所定の情報ないしデータを保持する非接触ＩＣと、を備え、前記本体は、前記磁性部材を検知することが可能な１又は２個以上の磁気検知部と、前記非接触ＩＣに保持されている情報ないしデータを読み取る読取部と、を備えることを特徴とする。
【０００９】
本発明の第２の視点においては、本体に着脱可能に装着される被装着体を有する携帯通信端末であって、前記被装着体は、１又は２個以上の磁性部材と、前記被装着体を識別するための被装着体識別情報を保持するとともに、暗号化された１又は複数のコンテンツデータを保持し、かつ、前記コンテンツデータを復号化するための鍵情報を管理する鍵情報管理サーバにアクセスするためのアクセス情報を保持する非接触ＩＣと、を備え、前記本体は、前記磁性部材を検知することが可能な１又は２個以上の磁気検知部と、前記非接触ＩＣに保持されている情報ないしデータを読み取る読取部と、前記読取部にて読み取られた前記アクセス情報に基づいて前記鍵情報管理サーバにアクセスするとともに、前記読取部にて読み取られた前記被装着体識別情報を前記鍵情報管理サーバに送信し、かつ、前記鍵情報管理サーバから前記被装着体識別情報に対応する前記鍵情報を取得する鍵情報取得処理部と、前記鍵情報取得部で取得された前記鍵情報に基づいて前記読取部で読み取られたコンテンツデータを復号化する復号化処理部と、を備えることを特徴とする。
【００１０】
また、本発明の前記携帯通信端末において、前記本体の前記鍵情報取得処理部は、前記被装着体識別情報を送信する際に、前記携帯通信端末を識別するための端末識別情報も送信し、前記鍵情報管理サーバは、被装着体識別情報ごとに少なくとも鍵情報及び端末識別情報をリンクさせた被装着体管理テーブルを記憶する記憶部と、前記本体から送信された前記被装着体識別情報に対応する前記被装着体管理テーブル中に前記本体から送信された前記端末識別情報を初めて登録した場合に、対応する鍵情報を前記携帯通信端末に配信する鍵情報配信処理部と、を備えることが好ましい。
【００１１】
また、本発明の前記携帯通信端末において、前記鍵情報管理サーバの前記鍵情報配信処理部は、前記本体から送信された前記端末識別情報と、前記本体から送信された前記被装着体識別情報に対応する前記被装着体管理テーブル中に既に記憶されている端末識別情報と、が一致する場合にも、対応する鍵情報を前記携帯通信端末に配信することが好ましい。
【００１２】
また、本発明の前記携帯通信端末において、前記鍵情報管理サーバは、前記本体から送信された前記端末識別情報と、前記本体から送信された前記被装着体識別情報に対応する前記被装着体管理テーブル中に既に登録されている端末識別情報と、が一致しないときに鍵情報の送信を拒否する拒否情報を送信する拒否情報送信処理部を備えることが好ましい。
【００１３】
本発明の第３の視点においては、携帯通信端末の本体において、１又は２個以上の磁性部材と、所定の情報ないしデータを保持する非接触ＩＣと、を備えた被装着体と着脱可能な筐体と、前記磁性部材を検知することが可能な１又は２個以上の磁気検知部と、前記非接触ＩＣに保持されている情報ないしデータを読み取る読取部と、を備えることを特徴とする。
【００１４】
本発明の第４の視点においては、１又は２個以上の磁気検知部と、情報ないしデータを読み取る読取部と、を備える携帯通信端末の本体と着脱可能な被装着体であって、前記磁気検知部によって検知される１又は２個以上の磁性部材と、所定の情報ないしデータを保持するとともに、保持された前記情報ないしデータが前記読取部によって読み取られる非接触ＩＣと、を備えることを特徴とする。
【発明の効果】
【００１５】
本発明（請求項１−７）によれば、装置内のメニュー画面の画像、待受画像、着信メロディ、目覚まし機能、スケジュール機能で指定した時刻に鳴動するアラーム通知音、メール送受信時に表示する画像、音声／ＴＶ電話の発着信時に表示する画像の新規コンテンツをパネル交換することにより取得することができる。また、携帯通信端末の本体で使用可能な画像や、着信メロディ、音楽データ、ゲームアプリケーションソフト、辞典などのコンテンツデータをパネルに応じて提供することができる。
【００１６】
本発明（請求項２）によれば、パネル内の非接触ＩＣで保持するコンテンツを暗号化することで、なりすましによるデータの盗難を防止し、パネル内に保持されたコンテンツを保護することができる。
【００１７】
本発明（請求項３）によれば、パネル内の非接触ＩＣに保持されるコンテンツデータを暗号化した際の鍵は、パネルの管理情報と伴にサーバで管理され、前記装置は、非接触ＩＣにコンテンツを保持した前記パネルが最初に送信された時、コンテンツデータの暗号化を解くための鍵情報をサーバより取得し、前記パネル内の非接触ＩＣに保持されるコンテンツを利用可能とすることでコンテンツを保護することができる。ゆえに、パネルの正規利用者に安全にコンテンツが提供される。
【００１８】
本発明（請求項４、５）によれば、サーバは、パネル内の非接触ＩＣに保持されるコンテンツデータの暗号化を解く鍵情報の払い出しの履歴と、払い出しを行った前記装置を特定するための端末識別情報を管理する手段を有し、前記パネルの正規利用者以外の利用者の前記装置に前記パネルが装着され、鍵情報の取得を要求した場合、正規利用者以外への鍵情報の提供を行わないことでコンテンツを保護することができる。
【発明を実施するための最良の形態】
【００１９】
（実施形態１）
本発明の実施形態１に係る携帯通信端末について図面を用いて説明する。図１は、本発明の実施形態１に係る携帯通信端末の構成を模式的に示した外観平面図である。図２は、本発明の実施形態１に係る携帯通信端末の本体の内部構成を模式的に示したブロック図である。図３は、本発明の実施形態１に係る携帯通信端末とネットワークを介して接続するサーバの記憶部に記憶された（Ａ）パネル管理テーブル及び（Ｂ）コンテンツ情報のデータ構造を説明するための図面である。
【００２０】
携帯通信端末１は、パネル１０と、本体２０と、を有する（図１参照）。ここでの携帯通信端末１は、携帯電話機であるが、その他にもＰＨＳ、ＰＤＡ等の通信機能を有するものを用いることができる。
【００２１】
パネル１０は、本体２０の背面側（折り畳んだときに表示面と操作面が会合する面の反対側）と着脱可能に構成される被装着体であり、磁性部材１１と、非接触ＩＣ１２と、を有する（図１参照）。
【００２２】
磁性部材１１は、パネル１０の有無を検知させるための磁石又は磁性体よりなる部材である（図１参照）。磁性部材１１は、パネル１０が本体２０に装着されたときに、本体２０の磁気検知部２８と対応する位置に配設されている。磁性部材１１は、１個だけでなく、複数個を所定の配置に設けてもよい。複数個を所定の配置に設けた磁性部材１１とすることにより、パネル１０の種類を識別できるようにすることもできる。
【００２３】
非接触ＩＣ１２は、パネル識別情報、コンテンツデータ、及び、アクセス情報を保持する非接触式のＩＣであり、電磁波によって本体２０の読取書込部２６とのデータ伝送を行う（図１参照）。非接触ＩＣ１２は、パネル１０が本体２０に装着されたときに、本体２０の読取書込部２６と対応する位置に配設されている。ここで、パネル識別情報（被装着体識別情報）は、パネル１０を識別するための情報であり、非接触ＩＣ１２に保持されている状態では暗号化されておらず、例えば、ＩＤ番号よりなる。また、コンテンツデータは、非接触ＩＣ１２に保持されている状態では暗号化されており、例えば、本体で使用可能な画像や、着信メロディ、音楽データ、ゲームアプリケーションソフト、辞典などよりなる。さらに、アクセス情報は、鍵情報を保有する鍵情報管理サーバ３にアクセスするための情報であり、非接触ＩＣ１２に保持されている状態では暗号化されておらず、例えば、鍵情報管理サーバ３のＵＲＬなどよりなる。なお、鍵情報は、パネル識別情報に対応するコンテンツデータを復号化するための情報である。
【００２４】
本体２０は、パネル１０と着脱可能な筐体を有し、通信部２１と、表示部２２と、操作部２３と、記憶部２４と、音声処理部２５と、読取書込部２６と、制御部２７と、磁気検知部２８と、を有する（図１及び図２参照）。
【００２５】
通信部２１は、ネットワーク２を介して鍵情報管理サーバ３や、他人の携帯電話機等の機器（図示せず）と通信を行うための部分である（図２参照）。表示部２２は、画像や、メールなどの文字を表示する部分である（図２参照）。操作部２３は、ユーザがキー等により入力操作を行う部分である（図２参照）。記憶部２４は、電話帳、画面、メール、プログラム、端末識別情報（例えば、電話番号）、（復号化された）コンテンツデータなどのデータを記憶する部分である（図２参照）。音声処理部２５は、マイク２５ａ及びスピーカ２５ｂに対する音声データを処理する部分である（図２参照）。
【００２６】
読取書込部２６は、電磁波を介して非接触ＩＣ１２内の情報の読取を行うための部分であり、本体２０の背面側の所定の位置に配される（図１及び図２参照）。読取書込部２６は、非接触ＩＣ１２のデータ処理に必要な電力を発生させるための電磁波を発信する。
【００２７】
制御部２７は、記憶部２４に記憶されたソフトウェアに基づいて、各構成部の機能を制御する部分である（図２参照）。制御部２７は、パネル認識処理部２７ａと、アクセス情報読取処理部２７ｂと、パネル識別情報確認処理部２７ｃと、鍵情報要求情報生成処理部２７ｄと、鍵情報取得処理部２７ｅと、鍵情報確認処理部２７ｆと、鍵情報登録処理部２７ｇと、コンテンツ読取処理部２７ｈと、コンテンツ確認処理部２７ｉと、鍵情報登録確認処理部２７ｊと、復号化処理部２７ｋと、設定処理部２７ｌと、を有する。
【００２８】
パネル認識処理部２７ａは、磁気検知部２８にて磁性部材１１を検知することにより、パネル１０が装着されたことを認識する。
【００２９】
アクセス情報読取処理部２７ｂは、パネル認識処理部２７ａにてパネル１０が装着されたことを認識した場合に、非接触ＩＣ１２に対し読取書込部２６を介してパネル識別情報及びアクセス情報（鍵情報管理サーバ３のＵＲＬ）を要求し、非接触ＩＣ１２からパネル識別情報及びアクセス情報を読み取る。
【００３０】
パネル識別情報確認処理部２７ｃは、アクセス情報読取処理部２７ｂにて読み取ったパネル識別情報と同一のパネル識別情報が記憶部２４に記憶されているか否かを確認する。
【００３１】
鍵情報要求情報生成処理部２７ｄは、パネル識別情報確認処理部２７ｃにて同一のパネル識別情報が記憶されていないことを確認した場合に、記憶部２４に記憶された端末識別情報を読み取り、パネル識別情報に対応する鍵情報を鍵情報管理サーバ３に要求するための情報であって、パネル識別情報及び端末識別情報を添付した鍵情報要求情報を生成する。
【００３２】
鍵情報取得処理部２７ｅは、アクセス情報に基づいて鍵情報管理サーバ３にアクセスし、鍵情報要求情報（パネル識別情報及び端末識別情報が添付）を鍵情報管理サーバ３に送信し、鍵情報管理サーバ３から鍵情報又は拒否情報を取得する。なお、拒否情報は、鍵情報の要求を拒否する情報である。
【００３３】
鍵情報確認処理部２７ｆは、鍵情報管理サーバ３から取得した情報が鍵情報であるか否かを確認する。
【００３４】
鍵情報登録処理部２７ｇは、鍵情報確認処理部２７ｆにてパネル識別情報に対応する鍵情報であることを確認した場合に、当該鍵情報及び当該パネル識別情報を記憶部２４に登録する。
【００３５】
コンテンツ読取処理部２７ｈは、パネル識別情報確認処理部２７ｃにてパネル識別情報が記憶されていることを確認した場合、又は、鍵情報登録処理部２７ｇにて鍵情報及びパネル識別情報が登録された場合に、非接触ＩＣ１２に対し読取書込部２６を介してコンテンツデータを要求し、非接触ＩＣ１２から（暗号化された）コンテンツデータを読み取る。また、コンテンツ読取処理部２７ｈは、（復号化された）コンテンツデータが記憶部２４に記憶されている場合には、記憶部２４から（復号化された）コンテンツデータを読み取ることもある。
【００３６】
コンテンツ確認処理部２７ｉは、コンテンツ読取処理部２７ｈにて読み取られたコンテンツデータが非接触ＩＣ１２から読み取ったものか否かを確認する。コンテンツデータが暗号化されていれば非接触ＩＣ１２から読み取ったものと確認され、コンテンツデータが復号化されていれば非接触ＩＣ１２から読み取ったものでないと確認されることになる。
【００３７】
鍵情報登録確認処理部２７ｊは、コンテンツ確認処理部２７ｉにてコンテンツデータが非接触ＩＣ１２から読み取ったものであることを確認した場合に、コンテンツデータに対応する鍵情報が記憶部２４に登録されているか否かを確認する。
【００３８】
復号化処理部２７ｋは、パネル識別情報確認処理部２７ｃにて同一のパネル識別情報が記憶されていることを確認した場合、又は、鍵情報登録確認処理部２７ｊにて鍵情報が記憶部２４に登録されていることを確認した場合に、コンテンツデータを鍵情報に基づいて復号化する。
【００３９】
設定処理部２７ｌは、復号化処理部２７ｋにて復号化されたコンテンツデータ、又は、記憶部２４に記憶された（復号化された）コンテンツデータに基づいて、携帯通信端末１内で利用するための設定処理（設定追加、変更、削除）を行う。設定処理の内容として、例えば、音声電話発信画面設定処理、音声電話着信画面設定処理、テレビ電話発信画面設定処理、テレビ電話着信画面設定処理、メール送信中画面設定処理、メール受信中画面設定処理、アラーム通知画面設定処理、メニュー画面設定処理、待受画面設定処理、音声電話着信通知設定処理、テレビ電話着信通知設定処理、メール受信完了通知設定処理、目覚ましアラーム通知設定処理、スケジュールアラーム通知設定処理などが挙げられる。
【００４０】
磁気検知部２８は、本体２０の背面側にパネル１０の磁性部材１１（の有無）を検知する部分であり、本体２０の背面側の所定の位置に配される（図１及び図２参照）。磁気検知部２８は、例えば、ホール素子、感磁素子、磁気センサよりなる。磁気検知部２８は、１個だけでなく、複数個を所定の配置に設けてもよい。複数個を所定の配置に設けた磁気検知部２８とすることにより、パネル１０の種類を識別できるようにすることもできる。
【００４１】
ネットワーク２は、無線基地局、交換局、インターネット回線などの通信手段よりなる（図２参照）。
【００４２】
鍵情報管理サーバ３は、鍵情報を管理するサーバであり、通信部３１と、記憶部３２と、制御部３３と、を有する（図２参照）。
【００４３】
通信部３１は、ネットワーク２を介して携帯通信端末１との通信を行うための部分である（図２参照）。記憶部３２は、パネル管理テーブル、プログラムなどのデータを記憶する部分である（図２参照）。なお、記憶部３２は、鍵情報管理サーバ３の内部になくてもよく、例えば、鍵情報管理サーバ３に接続された外部記憶装置であってもよい。
【００４４】
ここで、パネル管理テーブル（被装着体管理テーブル）は、パネル識別情報ごとに対応する鍵情報、鍵情報取得履歴、端末識別情報、及びコンテンツ情報を管理するためのテーブルである（図３（Ａ）参照）。鍵情報は、パネル識別情報に対応するコンテンツデータを復号化するための情報である。鍵情報取得履歴は、過去に対応する鍵情報が配信された回数の履歴である。鍵情報取得履歴は、過去に対応する鍵情報が配信されたことがなければ、０となる。端末識別情報は、対応する鍵情報を取得した携帯通信端末の電話番号よりなり、鍵情報を取得されたことがなければ空欄となる。コンテンツ情報は、コンテンツデータの内容を要約した情報である（図３（Ｂ）参照）。
【００４５】
制御部３３は、記憶部３２に記憶されたソフトウェアに基づいて、各構成部の機能を制御する部分である（図２参照）。制御部３３は、第１の端末識別情報確認処理部３３ａと、第１のパネル識別情報確認処理部３３ｂと、第２のパネル識別情報確認処理部３３ｃと、第２の端末識別情報確認処理部３３ｄと、第３の端末識別情報確認処理部３３ｅと、端末識別情報登録処理部３３ｆと、鍵情報配信処理部３３ｇと、配信履歴更新処理部３３ｈと、拒否情報送信処理部３３ｉと、を有する。
【００４６】
第１の端末識別情報確認処理部３３ａは、携帯通信端末１からの鍵情報要求情報に端末識別情報が添付されているか否か確認する。
【００４７】
第１のパネル識別情報確認処理部３３ｂは、第１の端末識別情報確認処理部３３ａにて端末識別情報が添付されていることを確認した場合に、携帯通信端末１からの鍵情報要求情報にパネル識別情報が添付されているか否か確認する。
【００４８】
第２のパネル識別情報確認処理部３３ｃは、第１のパネル識別情報確認処理部３３ｂにてパネル識別情報が添付されていることを確認した場合に、添付されたパネル識別情報と対応するパネル識別情報が記憶部３２に記憶されたパネル管理テーブル中に存在するか否かを確認する。
【００４９】
第２の端末識別情報確認処理部３３ｄは、第２のパネル識別情報確認処理部３３ｃにて対応するパネル識別情報が存在することを確認した場合に、記憶部３２に記憶されたパネル管理テーブル中に当該パネル識別情報にリンクする端末識別情報が存在するか否かを確認する。
【００５０】
第３の端末識別情報確認処理部３３ｅは、第２の端末識別情報確認処理部３３ｄにて端末識別情報が存在することを確認した場合に、記憶されている端末識別情報と添付された端末識別情報とが同一か否かを確認する。
【００５１】
端末識別情報登録処理部３３ｆは、第２の端末識別情報確認処理部３３ｄにて端末識別情報が存在しないことを確認した場合に、添付された端末識別情報を、パネル管理テーブル中の対応するパネル識別情報にリンクさせて（初めて）登録する。
【００５２】
鍵情報配信処理部３３ｇは、第３の端末識別情報確認処理部３３ｅにて端末識別情報が同一であることを確認した場合、又は、端末識別情報登録処理部３３ｆにて端末識別情報をパネル識別情報にリンクさせて（初めて）登録した場合に、パネル識別情報に対応する鍵情報をパネル管理テーブルから読み取り、端末識別情報に基づいて携帯通信端末１にアクセスし、読み取った鍵情報を携帯通信端末１に配信する。
【００５３】
配信履歴更新処理部３３ｈは、鍵情報配信処理部３３ｇにて鍵情報を配信した後、当該鍵情報に対応する鍵情報配信履歴を１カウント追加して更新する。
【００５４】
拒否情報送信処理部３３ｉは、第１の端末識別情報確認処理部３３ａにて端末識別情報が添付されていないことを確認した場合、第１のパネル識別情報確認処理部３３ｂにてパネル識別情報が添付されていないことを確認した場合、第２のパネル識別情報確認処理部３３ｃにて対応するパネル識別情報が存在しないことを確認した場合、又は、第３の端末識別情報確認処理部３３ｅにて端末識別情報が同一でないことを確認した場合に、アクセスしてきた携帯通信端末１に拒否情報を送信する。
【００５５】
次に、本発明の実施形態１に係る携帯通信端末及び鍵情報管理サーバの第１の動作について図面を用いて説明する。図４は、本発明の実施形態１に係る携帯通信端末及び鍵情報管理サーバの第１の動作を模式的に示したフローチャートである。ここでは、これまでに装着されたことがないパネル１０（磁性部材１１及び非接触ＩＣ１２を有するもの）を携帯通信端末の本体２０に初めて装着する場合について説明する。なお、携帯通信端末及び鍵情報管理サーバの構成については図１及び図２を参照されたい。
【００５６】
まず、ユーザが携帯通信端末の本体２０にパネル１０を装着すると、本体２０の磁気検知部２８にて磁性部材１１が検知されることによって、本体２０はパネル１０が装着されたことを認識する（ステップＡ１）。
【００５７】
次に、本体２０は、非接触ＩＣ１２に対しパネル識別情報及びアクセス情報を要求する（ステップＡ２）。次に、非接触ＩＣ１２は、パネル識別情報及びアクセス情報を本体２０に送信する（ステップＡ３）。
【００５８】
次に、本体２０は、非接触ＩＣ１２からのパネル識別情報及びアクセス情報を取得することにより、当該パネル識別情報と同一のパネル識別情報が記憶部２４に登録されていないことを確認する（ステップＡ４）。次に、本体２０は、パネル識別情報が記憶されていないと確認することにより、パネル識別情報及び端末識別情報を添付した鍵情報要求情報を生成する（ステップＡ５）。次に、本体２０は、生成した鍵情報要求情報を鍵情報管理サーバ３に送信する（ステップＡ６）。次に、鍵情報管理サーバ３は、本体２０からの鍵情報要求情報を受けることにより、対応する鍵情報を本体２０に送信する（ステップＡ７）。
【００５９】
次に、本体２０は、鍵情報管理サーバ３からの鍵情報を受けることにより、パネル識別情報に対応する鍵情報であることを確認する（ステップＡ８）。次に、本体２０は、対応する鍵情報であることを確認することにより、鍵情報及びパネル識別情報を登録する（ステップＡ９）。次に、本体２０は、鍵情報及びパネル識別情報が登録されることにより、非接触ＩＣ１２に対しコンテンツデータを要求する（ステップＡ１０）。次に、非接触ＩＣ１２は、暗号化されたコンテンツデータを本体２０に送信する（ステップＡ１１）。
【００６０】
次に、本体２０は、非接触ＩＣ１２からの（暗号化された）コンテンツデータを受けることにより、当該コンテンツデータが非接触ＩＣ１２から読み取ったものであることを確認する（ステップＡ１２）。次に、本体２０は、受け取ったコンテンツデータに対応する鍵情報が登録されていることを確認する（ステップＡ１３）。次に、本体２０は、受け取ったコンテンツデータを復号化する（ステップＡ１４）。次に、本体２０は、復号化されたコンテンツデータに基づいて設定処理を行う（ステップＡ１５）。最後に、本体２０は、設定処理が完了することにより設定処理完了を表示し（ステップＡ１６）、終了する。
【００６１】
次に、本発明の実施形態１に係る携帯通信端末及び鍵情報管理サーバの第２の動作について図面を用いて説明する。図５は、本発明の実施形態１に係る携帯通信端末及び鍵情報管理サーバの第２の動作を模式的に示したフローチャートである。ここでは、１回以上装着されたことのあるパネル１０（磁性部材１１及び非接触ＩＣ１２を有するもの）を前と同じ携帯通信端末の本体２０に装着する場合（既に鍵情報及びパネル識別情報を保持している場合）について説明する。なお、携帯通信端末及び鍵情報管理サーバの構成については図１及び図２を参照されたい。
【００６２】
まず、ユーザが携帯通信端末の本体２０にパネル１０を装着すると、本体２０の磁気検知部２８にて磁性部材１１が検知されることによって、本体２０はパネル１０が装着されたことを認識する（ステップＢ１）。
【００６３】
次に、本体２０は、非接触ＩＣ１２に対しパネル識別情報及びアクセス情報を要求する（ステップＢ２）。次に、非接触ＩＣ１２は、パネル識別情報及びアクセス情報を本体２０に送信する（ステップＢ３）。
【００６４】
次に、本体２０は、非接触ＩＣ１２からのパネル識別情報及びアクセス情報を取得することにより、当該パネル識別情報と同一のパネル識別情報が記憶部２４に登録されていることを確認する（ステップＢ４）。次に、本体２０は、非接触ＩＣ１２に対しコンテンツデータを要求する（ステップＢ５）。次に、非接触ＩＣ１２は、暗号化されたコンテンツデータを本体２０に送信する（ステップＢ６）。
【００６５】
次に、本体２０は、非接触ＩＣ１２からの（暗号化された）コンテンツデータを受けることにより、当該コンテンツデータが非接触ＩＣ１２から読み取ったものであることを確認する（ステップＢ７）。次に、本体２０は、受け取ったコンテンツデータに対応する鍵情報が登録されていることを確認する（ステップＢ８）。次に、本体２０は、受け取ったコンテンツデータを復号化する（ステップＢ９）。次に、本体２０は、復号化されたコンテンツデータに基づいて設定処理を行う（ステップＢ１０）。最後に、本体２０は、設定処理が完了することにより設定処理完了を表示し（ステップＢ１１）、終了する。
【００６６】
次に、本発明の実施形態１に係る携帯通信端末及び鍵情報管理サーバの第３の動作について図面を用いて説明する。図６は、本発明の実施形態１に係る携帯通信端末及び鍵情報管理サーバの第３の動作を模式的に示したフローチャートである。ここでは、パネル１０（磁性部材１１及び非接触ＩＣ１２を有するもの）を正規に使用した後に、他人の携帯通信端末の本体２０に装着する場合について説明する。なお、携帯通信端末及び鍵情報管理サーバの構成については図１及び図２を参照されたい。
【００６７】
まず、ユーザが携帯通信端末の本体２０にパネル１０を装着すると、本体２０の磁気検知部２８にて磁性部材１１が検知されることによって、本体２０はパネル１０が装着されたことを認識する（ステップＣ１）。
【００６８】
次に、本体２０は、非接触ＩＣ１２に対しパネル識別情報及びアクセス情報を要求する（ステップＣ２）。次に、非接触ＩＣ１２は、パネル識別情報及びアクセス情報を本体２０に送信する（ステップＣ３）。
【００６９】
次に、本体２０は、非接触ＩＣ１２からのパネル識別情報及びアクセス情報を取得することにより、当該パネル識別情報と同一のパネル識別情報が記憶部２４に未登録であることを確認する（ステップＣ４）。次に、本体２０は、パネル識別情報が記憶されていないと確認することにより、パネル識別情報及び端末識別情報を添付した鍵情報要求情報を生成する（ステップＣ５）。
【００７０】
次に、本体２０は、生成した鍵情報要求情報を鍵情報管理サーバ３に送信する（ステップＣ６）。次に、鍵情報管理サーバ３は、本体２０からの鍵情報要求情報を受けることにより、鍵情報要求情報に添付された端末識別情報と、登録された端末識別情報と、が不一致であることを確認し、拒否情報を本体２０に送信する（ステップＣ７）。次に、本体２０は、鍵情報管理サーバ３からの拒否情報を受けることにより、鍵情報でないことを確認する（ステップＣ８）。最後に、本体２０は、鍵情報でないことを確認することにより、設定処理不可を表示し（ステップＣ９）、終了する。
【００７１】
次に、本発明の実施形態１に係る携帯通信端末の動作の詳細について図面を用いて説明する。図７は、本発明の実施形態１に係る携帯通信端末の動作全般を模式的に示したフローチャートである。なお、携帯通信端末の構成については図１及び図２を参照されたい。
【００７２】
まず、ユーザが携帯通信端末の本体２０にパネル１０を装着する（ステップＤ１）。次に、本体２０は、磁気検知部２８にて磁性部材１１が検知されることによって、パネル認識処理部２７ａにてパネル１０の装着が認識できたか否かを確認する（ステップＤ２）。パネル１０の装着が認識不可能であると確認した場合（ステップＤ２のＮＯ）、本体２０は、何も処理行わずに終了する。ここで、パネル１０の装着が認識できない場合として、例えば、パネル１０に磁性部材が配設されていない場合や、本体２０に正しくパネル１０の装着されていない場合などが挙げられる。
【００７３】
パネル１０の装着が認識可能であると確認した場合（ステップＤ２のＹＥＳ）、本体２０は、アクセス情報読取処理部２７ｂにて非接触ＩＣ１２に対し読取書込部２６を介してパネル識別情報及びアクセス情報（鍵情報管理サーバ３のＵＲＬ）を要求し、非接触ＩＣ１２からパネル識別情報及びアクセス情報を読み取る（ステップＤ３）。次に、本体２０は、アクセス情報読取処理部２７ｂにて読み取ったパネル識別情報と同一のパネル識別情報が記憶部２４において未登録か否かを確認する（ステップＤ４）。同一のパネル識別情報が登録であることを確認した場合（ステップＤ４のＮＯ）はステップＤ９に進む。
【００７４】
同一のパネル識別情報が未登録であることを確認した場合（ステップＤ４のＹＥＳ）、本体２０は、鍵情報要求情報生成処理部２７ｄにて記憶部２４に記憶された端末識別情報を読み取り、パネル識別情報に対応する鍵情報を鍵情報管理サーバ３に要求するための情報であって、パネル識別情報及び端末識別情報を添付した鍵情報要求情報を生成する（ステップＤ５）。次に、本体２０は、鍵情報取得処理部２７ｅにてアクセス情報に基づいて鍵情報管理サーバ３にアクセスし、鍵情報要求情報（パネル識別情報及び端末識別情報が添付）を鍵情報管理サーバ３に送信する（ステップＤ６）。次に、本体２０は、鍵情報管理サーバ３から鍵情報又は拒否情報を取得する（ステップＤ７）。次に、本体２０は、鍵情報確認処理部２７ｆにて鍵情報管理サーバ３から取得した情報が鍵情報であるか否かを確認する（ステップＤ８）。なお、鍵情報でないことを確認した場合（ステップＤ８のＮＯ）はステップＤ１６に進む。
【００７５】
鍵情報であることを確認した場合（ステップＤ８のＹＥＳ）、本体２０は、鍵情報登録処理部２７ｇにて鍵情報及びパネル識別情報を記憶部２４に登録する（ステップＤ９）。
【００７６】
ステップＤ９の後、又は、同一のパネル識別情報が登録されていると確認した場合（ステップＤ４のＮＯ）、本体２０は、コンテンツ読取処理部２７ｈにて非接触ＩＣ１２に対し読取書込部２６を介してコンテンツデータを要求し、非接触ＩＣ１２から（暗号化された）コンテンツデータを読み取る（ステップＤ１０）。次に、本体２０は、コンテンツ確認処理部２７ｉにてコンテンツデータが非接触ＩＣ１２から読み取ったものか否かを確認する（ステップＤ１１）。なお、コンテンツデータが非接触ＩＣ１２から読み取ったものでないことを確認した場合（ステップＤ１１のＮＯ）はステップＤ１４に進む。
【００７７】
コンテンツデータが非接触ＩＣ１２から読み取ったものであることを確認した場合（ステップＤ１１のＹＥＳ）、本体２０は、鍵情報登録確認処理部２７ｊにてコンテンツデータに対応する鍵情報が記憶部２４に登録されているか否かを確認する（ステップＤ１２）。なお、鍵情報が登録されていないことを確認した場合（ステップＤ１２のＮＯ）はステップＤ１６に進む。鍵情報が登録されていない場合として、図示されていない処理、又はユーザの操作により鍵情報が消去された場合等が挙げられる。この場合、図示されていない操作又は処理により再度、鍵情報を取得することでコンテンツの設定を可能にすることができる。
【００７８】
鍵情報が登録されていることを確認した場合（ステップＤ１２のＹＥＳ）に、本体２０は、復号化処理部２７ｋにて（暗号化された）コンテンツデータを鍵情報に基づいて復号化する（ステップＤ１３）。
【００７９】
ステップＤ１３の後、又は、コンテンツデータが非接触ＩＣ１２から読み取ったものでないことを確認した場合（ステップＤ１１のＮＯ）に、本体２０は、（復号化されている）コンテンツデータに基づいて、設定処理部２７ｌにて携帯通信端末１内で利用するための設定処理を行う（ステップＤ１４）。次に、本体２０は、設定処理が完了することにより設定処理完了を表示して（ステップＤ１５）、終了する。
【００８０】
鍵情報でないことを確認した場合（ステップＤ８のＮＯ）、又は、鍵情報が登録されていないことを確認した場合（ステップＤ１２のＮＯ）に、本体２０は、設定処理不可を表示して（ステップＤ１６）、終了する。これより、パネル１０の非接触ＩＣ１２内のコンテンツデータの不正読み出しによる利用を防止することができる。
【００８１】
次に、本発明の実施形態１に係る携帯通信端末のコンテンツデータの設定処理の詳細について図面を用いて説明する。図８は、本発明の実施形態１に係る携帯通信端末の設定処理部の動作を模式的に示したフローチャートである。ここで、携帯通信端末の各機能の設定に係るコンテンツデータは、大きく２つあり、１つは画像関連のコンテンツデータ、もう１つは音関連のコンテンツデータである。なお、携帯通信端末の構成については図１及び図２を参照されたい。
【００８２】
まず、本体２０は、復号化されているコンテンツデータが設定処理部２７ｌに入力されることにより、コンテンツデータが画像関連か音楽関連かを確認する（ステップＥ１）。
【００８３】
コンテンツデータが画像関連であることを確認した場合（ステップＥ１の画像）、本体２０は、コンテンツデータに対応する画像関連に係る設定先の機能を確認する（ステップＥ２）。次に、本体２０は、コンテンツデータに基づいて、確認された画像関連に係る設定先の機能について画像を設定する（ステップＥ３）。画像関連に係る設定先の機能として、例えば、音声電話発信機能、音声電話着信機能、ＴＶ電話発信機能、ＴＶ電話着信機能、メール送信機能、メール受信機能、スケジュール・目覚ましアラーム通知機能、メニュー画面、待受画面等がある。
【００８４】
コンテンツデータが音楽関連であることを確認した場合（ステップＥ１の音楽）、本体２０は、コンテンツデータに対応する音楽関連に係る設定先の機能を確認する（ステップＥ４）。次に、本体２０は、コンテンツデータに基づいて、確認された音楽関連に係る設定先の機能について音楽を設定する（ステップＥ５）。音楽関連に係る設定先の機能として、例えば、音声電話着信機能、ＴＶ電話着信機能、メール受信機能、目覚ましアラーム機能、スケジュールアラーム機能等がある。
【００８５】
ステップＥ３又はステップＥ５の後、コンテンツデータに基づく設定処理が全て完了したか否かを確認する（ステップＥ６）。完了していないことを確認した場合（ステップＥ６のＮＯ）はステップＥ１に進む。完了したことを確認した場合（ステップＥ６のＹＥＳ）は設定処理を終了する。
【００８６】
なお、設定先の機能が複数ある場合、１つの機能の設定が完了したときに設定処理を継続するか否かを表示してユーザに確認を求めるようにしたり、設定処理中に中断するか否かを表示してユーザに確認を求めるようにしてもよい。中断する場合は、中断する前までの設定を有効とし、設定処理された機能のみコンテンツデータに係る画像又は音楽を用いることができる。また、パネルを装着した際、コンテンツデータに対応する複数の設定先の機能のうちどの設定先の機能を変更するかを求める画面を表示し、ユーザが選択した設定先の機能についてコンテンツデータに基づく設定処理を実行するようにしてもよい。
【００８７】
次に、本発明の実施形態１に係る携帯通信端末とネットワークを介して接続する鍵情報管理サーバの動作の詳細について図面を用いて説明する。図９は、本発明の実施形態１に係る携帯通信端末とネットワークを介して接続する鍵情報管理サーバの動作を模式的に示したフローチャートである。なお、鍵情報管理サーバの構成については図２を参照されたい。
【００８８】
まず、鍵情報管理サーバ３は、携帯通信端末１からのアクセスを受け、携帯通信端末１からの鍵情報要求情報を受信することにより、第１の端末識別情報確認処理部３３ａにて鍵情報要求情報に端末識別情報が添付されているか否か確認する（ステップＦ１）。端末識別情報が添付されていないことを確認した場合（ステップＦ１のＮＯ）はステップＦ９に進む。
【００８９】
端末識別情報が添付されていることを確認した場合（ステップＦ１のＹＥＳ）、鍵情報管理サーバ３は、第１のパネル識別情報確認処理部３３ｂにて鍵情報要求情報にパネル識別情報が添付されているか否か確認する（ステップＦ２）。パネル識別情報が添付されていないことを確認した場合（ステップＦ２のＮＯ）はステップＦ９に進む。
【００９０】
パネル識別情報が添付されていることを確認した場合（ステップＦ２のＹＥＳ）、鍵情報管理サーバ３は、第２のパネル識別情報確認処理部３３ｃにて添付されたパネル識別情報と対応するパネル識別情報が記憶部３２に記憶されたパネル管理テーブル（図３（Ａ）参照）中に存在するか否かを確認する（ステップＦ３）。対応するパネル識別情報が存在しないことを確認した場合（ステップＦ３のＮＯ）はステップＦ９に進む。
【００９１】
対応するパネル識別情報が存在することを確認した場合（ステップＦ３のＹＥＳ）、鍵情報管理サーバ３は、第２の端末識別情報確認処理部３３ｄにて記憶部３２に記憶されたパネル管理テーブル中にパネル識別情報にリンクする端末識別情報が存在するか否かを確認する（ステップＦ４）。
【００９２】
端末識別情報が存在することを確認した場合（ステップＦ４のＹＥＳ）、鍵情報管理サーバ３は、第３の端末識別情報確認処理部３３ｅにて、記憶されている端末識別情報と添付された端末識別情報とが同一か否かを確認する（ステップＦ５）。端末識別情報が同一でないことを確認した場合（ステップＦ５のＮＯ）はステップＦ９に進む。
【００９３】
端末識別情報が存在しないことを確認した場合（ステップＦ４のＮＯ）、鍵情報管理サーバ３は、端末識別情報登録処理部３３ｆにて、添付された端末識別情報を、対応するパネル識別情報にリンクさせてパネル管理テーブルに登録する（ステップＦ６）。
【００９４】
端末識別情報が同一であることを確認した場合（ステップＦ５のＹＥＳ）、又は、ステップＦ６の後、鍵情報管理サーバ３は、鍵情報配信処理部３３ｇにてパネル識別情報に対応する鍵情報をパネル管理テーブルから読み取り、端末識別情報に基づいて携帯通信端末１にアクセスし、読み取った鍵情報を携帯通信端末１に配信する（ステップＦ７）。ここで、端末識別情報が同一であることを確認した場合にも鍵情報を配信するのは、鍵情報の再要求をしてきた場合に対応するためである。次に、鍵情報管理サーバ３は、配信履歴更新処理部３３ｈにて鍵情報に対応する鍵情報配信履歴を１カウント追加して更新し（ステップＦ８）、終了する。
【００９５】
端末識別情報が添付されていないことを確認した場合（ステップＦ１のＮＯ）、パネル識別情報が添付されていないことを確認した場合（ステップＦ２のＮＯ）、対応するパネル識別情報が存在しないことを確認した場合（ステップＦ３のＮＯ）、又は、端末識別情報が同一でないことを確認した場合（ステップＦ５のＮＯ）に、鍵情報管理サーバ３は、拒否情報送信処理部３３ｉにて、アクセスしてきた携帯通信端末１に拒否情報を送信し（ステップＦ９）、終了する。つまり、不正アクセスと判断された場合、鍵情報管理サーバ３は、携帯通信端末１に拒否情報を送信する。
【００９６】
実施形態１によれば、携帯通信端末１のメニュー画面の画像、待受画像、着信メロディ、目覚まし機能、スケジュール機能で指定した時刻に鳴動するアラーム通知音、メール送受信時に表示する画像、音声／ＴＶ電話の発着信時に表示する画像の新規コンテンツデータをパネルの交換することにより取得することができる。また、携帯通信端末１の本体２０で使用可能な画像や、着信メロディ、音楽データ、ゲームアプリケーションソフト、辞典などのコンテンツデータをパネルに応じて提供することができる。また、パネル１０内の非接触ＩＣ１２で保持するコンテンツデータを暗号化することで、なりすましによるデータの盗難を防止し、パネル１０内に保持されたコンテンツデータを保護することができる。また、パネル１０内の非接触ＩＣ１２に保持されるコンテンツデータを復号化するための鍵情報をパネル識別情報と伴に鍵情報管理サーバ３で管理し、かつ、携帯通信端末１の本体２０にパネル１０（非接触ＩＣにコンテンツを保持したもの）が送信された時に鍵情報を鍵情報管理サーバ３より取得しパネル１０内の非接触ＩＣ１２に保持されるコンテンツデータを利用可能とすることで、コンテンツデータを保護することができる。さらに、鍵情報管理サーバ３は、パネル１０内の非接触ＩＣ１２に保持されるコンテンツデータの復号化するための鍵情報の配信履歴と、配信を行った携帯通信端末１を特定するための端末識別情報と、をパネル管理テーブルにて管理するので、パネル１０の正規利用者以外の利用者の携帯通信端末にパネル１０が装着されて鍵情報の取得の要求が行われた場合でも、正規利用者以外の利用者への鍵情報の提供を行わないので、コンテンツデータを保護することができる。
【００９７】
（実施形態２）
次に、本発明の実施形態２に係る携帯通信端末について説明する。実施形態２に係る携帯通信端末は、携帯用ゲーム機であり、カートリッジと、本体と、を有する。カートリッジは、本体と着脱可能に構成される被装着体であり、実施形態１のパネルと同様な磁性部材及び非接触ＩＣを有する。非接触ＩＣは、ミニゲームあるいは、新しいキャラクター等のコンテンツデータを内蔵する。本体は、カートリッジと着脱可能に構成され、実施形態１の本体と同様な構成部を有する。本体の読取書込部は、電磁波を介してカートリッジの非接触ＩＣ内の情報の読取を行う。本体の磁気検知部は、カートリッジの磁性部材の有無を検知する。実施形態２に係る携帯通信端末の動作は、実施形態１に係る携帯通信端末の動作と同様である。実施形態２によれば、ゲームのシーンあるいは、ゲームの開始時にカートリッジ内の非接触ＩＣに保持されたキャラクタデータや、ミニゲームなどのコンテンツデータを読み取ることで、新しいゲームサービスを提供することができる。また、ネットワークゲームに応用すると、携帯用ゲーム機で読み取った情報を鍵情報管理サーバに送ることで、ゲームでの新しいストーリや、新しい機能を提供することができる。
【図面の簡単な説明】
【００９８】
【図１】本発明の実施形態１に係る携帯通信端末の構成を模式的に示した外観平面図である。
【図２】本発明の実施形態１に係る携帯通信端末の本体の内部構成を模式的に示したブロック図である。
【図３】本発明の実施形態１に係る携帯通信端末とネットワークを介して接続するサーバの記憶部に記憶された（Ａ）パネル管理テーブル及び（Ｂ）コンテンツ情報のデータ構造を説明するための図面である。
【図４】本発明の実施形態１に係る携帯通信端末及び鍵情報管理サーバの第１の動作を模式的に示したフローチャートである。
【図５】本発明の実施形態１に係る携帯通信端末及び鍵情報管理サーバの第２の動作を模式的に示したフローチャートである。
【図６】本発明の実施形態１に係る携帯通信端末及び鍵情報管理サーバの第３の動作を模式的に示したフローチャートである。
【図７】本発明の実施形態１に係る携帯通信端末の動作全般を模式的に示したフローチャートである。
【図８】本発明の実施形態１に係る携帯通信端末の設定処理部の動作を模式的に示したフローチャートである。
【図９】本発明の実施形態１に係る携帯通信端末とネットワークを介して接続する鍵情報管理サーバの動作を模式的に示したフローチャートである。
【符号の説明】
【００９９】
１  携帯通信端末
２  ネットワーク
３  鍵情報管理サーバ
１０  パネル（被装着体）
１１  磁性部材
１２  非接触ＩＣ
２０  本体
２１  通信部
２２  表示部
２３  操作部
２４  記憶部
２５  音声処理部
２５ａ  マイク
２５ｂ  スピーカ
２６  読取書込部（読取部）
２７  制御部
２７ａ  パネル認識処理部
２７ｂ  アクセス情報読取処理部
２７ｃ  パネル識別情報確認処理部
２７ｄ  鍵情報要求情報生成処理部
２７ｅ  鍵情報取得処理部
２７ｆ  鍵情報確認処理部
２７ｇ  鍵情報登録処理部
２７ｈ  コンテンツ読取処理部
２７ｉ  コンテンツ確認処理部
２７ｊ  鍵情報登録確認処理部
２７ｋ  復号化処理部
２７ｌ  設定処理部
２８  磁気検知部
３１  通信部
３２  記憶部
３３  制御部
３３ａ  第１の端末識別情報確認処理部
３３ｂ  第１のパネル識別情報確認処理部
３３ｃ  第２のパネル識別情報確認処理部
３３ｄ  第２の端末識別情報確認処理部
３３ｅ  第３の端末識別情報確認処理部
３３ｆ  端末識別情報登録処理部
３３ｇ  鍵情報配信処理部
３３ｈ  配信履歴更新処理部
３３ｉ  拒否情報送信処理部
【図１】
2006165936.tif 000003
【図２】
2006165936.tif 000004
【図３】
2006165936.tif 000005
【図４】
2006165936.tif 000006
【図５】
2006165936.tif 000007
【図６】
2006165936.tif 000008
【図７】
2006165936.tif 000009
【図８】
2006165936.tif 000010
【図９】
2006165936.tif 000011